(57)【要約】  高齢者や身障者であっても安全にバスルームを使用することができるバリアフリー機能を備えたユニットバスを提供する。浴槽４と防水パン５とが横並び状となって一体に形成され、使用者がバスルーム６の出入り口３から出入りが可能なようにバスルーム６内に組み込まれる。防水パン５における出入り口３側の床面部分１３ｂが他の床面部分１３ｃよりも低くなるように傾斜状に形成され、出入り口３側の床面部分１３ｂに排水口１４ｂが形成され、排水口１４ｂがバスルームのコンクリートスラブ床３２の下方に配管された排水管３１に連結される。
2016171148.tif 000002
【特許請求の範囲】
【請求項１】
浴槽と防水パンとが横並び状となって一体に形成され、使用者がバスルームの出入り口から出入りが可能なようにバスルーム内に組み込まれるユニットバスであって、
前記防水パンにおける前記出入り口側の床面部分が他の床面部分よりも低くなるように傾斜状に形成され、前記出入り口側の床面部分に排水口が形成され、前記排水口がバスルームのコンクリートスラブ床の下方に配管された排水管に連結されていることを特徴とするユニットバス。
【請求項２】
請求項１記載のユニットバスであって、
前記防水パンの床面における前記出入り口側の端部に、防水パンの水を堰き止め可能な高さの堰き止め部が形成される一方、前記出入り口の外側のコンクリートスラブ床上に内装仕上げ床が敷設されることにより前記堰き止め部の高さの段差が小さくなっていることを特徴とするユニットバス。
【請求項３】
請求項１又は２記載のユニットバスであって、
前記浴槽における防水パン側に位置する槽壁の上端部に、湾曲状に低くなって凹む跨ぎ用凹部が形成されていることを特徴とするユニットバス。
【発明の詳細な説明】
【技術分野】
【０００１】
本発明は、浴槽及び防水パンが一体となって形成されており、ホテル、マンション等のバスルーム内に組み込まれて用いられるユニットバスに関し、特にバリアフリー機能を備えたユニットバスに関する。
【背景技術】
【０００２】
一般に、ユニットバスは浴槽及び防水パンが一体となって形成されており、この状態でホテル等のバスルームに組み込まれた後、洗面台や便器等が取り付けられることによりトイレ一体型となって使用される。このようなユニットバスでは、バスルームの外側への水の溢れ出、漏水を防止する必要性から効率の良い排水を行うための配慮が主になされている。【０００３】
例えば、特許文献１では、両端が上下流の排水口に連通する排水路を防水パンにおける浴槽側に設け、この排水路における上流側排水傾斜を下流側排水傾斜よりも緩やかにしている。特許文献２では、凹溝状の溝部を防水パンの床面に多列状に形成して床面を複数に分割することにより水はけを向上させている。
【先行技術文献】
【特許文献】
【０００４】
【特許文献１】特開平１１−２５６６４８号公報
【特許文献２】特開２０００−５４４４９号公報
【発明の概要】
【発明が解決しようとする課題】
【０００５】
従来のユニットバスでは、排水への配慮がなされているが、バスルームへの出入りに関しては配慮がなされていないのが実情であり、出入り口に比較的高い段差がある状態となっている。これは建造物のコンクリートスラブ床の上にユニットバスからの水の排水管や排水トラップを設置するため、コンクリートスラブ床とユニットバスの床面との間に空間が必要となり、ユニットバスの出入り口の高さがコンクリートスラブ床の床面よりも必然的に高くなることによる。このような構造では、通常、ユニットバスの出入り口の高さは、コンクリートスラブ床の床面から約１７０ｍｍ以上高くなる。このように出入り口が高い場合には、足腰が弱った高齢者や軽度の歩行障害のある身障者は、バスルームの出入りの際に足がつまずいたりすることが多く、危険性を伴った使用が余儀なくされている。【０００６】
本発明は、このような従来の問題点を考慮してなされたものであって、高齢者や身障者においても安全にバスルームを使用することができるバリアフリー機能を備えたユニットバスを提供することを目的としている。
【課題を解決するための手段】
【０００７】
上記目的を達成するためになされた、本発明のユニットバスは、浴槽と防水パンとが横並び状となって一体に形成され、使用者がバスルームの出入り口から出入りが可能なようにバスルーム内に組み込まれるユニットバスであって、前記防水パンにおける前記出入り口側の床面部分が他の床面部分よりも低くなるように傾斜状に形成され、前記出入り口側の床面部分に排水口が形成され、前記排水口がバスルームのコンクリートスラブ床の下方に配管された排水管に連結されていることを特徴とする。【０００８】
この場合、前記防水パンの床面部分における前記出入り口側の端部に、防水パンの水を堰き止め可能な高さの堰き止め部が形成される一方、前記出入り口の外側のコンクリートスラブ床上に内装仕上げ床が敷設されることにより前記堰き止め部の高さの段差が小さくなっていることが好ましい。【０００９】
又、前記浴槽における防水パン側に位置する槽壁の上端部に、湾曲状に低くなって凹む跨ぎ用凹部が形成されていることが好ましい。
【発明の効果】
【００１０】
本発明によれば、防水パンにおける出入り口側の床面部分が他の床面部分よりも低くなっており、この床面部分に排水口が形成され、この排水口がコンクリートスラブ床の下方に配管された排水管に連結されているため、排水管の配管のための空間がコンクリートスラブ床とユニットバスの床面との間に必要なくなる。このため、防水パンの床面の段差が小さくなり、防水パンの床面の障壁がなくなる。従って、バリアフリー機能を備えたものとなり、高齢者や身障者であってもバスルームへの出入りの際につまずくことがなく、安全にバスルームに出入りすることができる。【００１１】
又、本発明によれば、浴槽の槽壁に湾曲状に低くなって凹む跨ぎ用凹部が形成されており、足を大きく上げる必要なく浴槽への出入りが可能であり、浴槽への出入りが容易且つ安全となる。
【図面の簡単な説明】
【００１２】
【図１】本発明の一実施形態のユニットバスの平面図である。
【図２】一実施形態のユニットバスの斜視図である。
【図３】一実施形態のユニットバスにおける防水パンを示す断面図である。
【図４】図３における要部の拡大断面図である。
【図５】一実施形態のユニットバスに用いられる浴槽の正面図である。
【発明を実施するための形態】
【００１３】
図１〜図５は、本発明の一実施形態のユニットバス１を示す。ユニットバス１は浴槽４と防水パン５が一体となって形成された本体部２を備えている。
【００１４】
図２に示すように、ユニットバス１の本体部２は横並び状となった浴槽４及び防水パン５によって形成されている。横並び状の浴槽４及び防水パン５は熱可塑性樹脂を金型によって加熱加圧することにより一体に形成されて本体部２となる。一体成形された本体部２を図１に示すように、ホテル等の建造物のバスルーム６内に組み込んだ後、本体部２に洗面台７や便器８を組み付け、所定の配管を行うことによりホテル、マンション等のバスルームとして機能させることができる。バスルーム６は図１に示すようにルーム壁９によって周囲が囲まれているが、ルーム壁９の一部が出入り口３となって開口されており、この出入り口３にドア１０が開閉可能に設けられている。使用者はドア１０を開けた状態で出入り口３からバスルーム６に出入りする。
【００１５】
本体部２の浴槽４は入浴のためのバスタブであり、４周辺が槽壁１１によって囲まれている。符号１２は４周辺の槽壁１１における防水パン５側に位置する槽壁であり、この防水パン側の槽壁１２を跨いで乗り越えることにより浴槽４への出入りが行われる。
【００１６】
防水パン５は浴槽４よりも低い位置となった状態で浴槽４の横並び位置で連続している。防水パン５の床面１３には、複数の排水口１４が開口されている。排水口１４は浴槽４側の排水溝１４ａ及びバスルーム６の出入り口３（ドア１０）側の排水口１４ｂを備えている。それぞれの排水口１４（１４ａ、１４ｂ）には、グレーチング１８が設けられて異物の配管への流入を防止している（図３参照）。又、防水パン５の床面１３の上面には、排水溝１５が縦横方向に沿って複数条形成されている。複数条の排水溝１５は使用時における滑り止め作用を兼用している。浴槽４及び防水パン５を含む本体部２の周囲には、低い高さの囲い壁１６が立ち上がるように形成されており、床面１３上を流れる水の本体部２からの漏れ出を防止している。図２において、符号１９は、便器８の排水を行うため、防水パン５に形成された便器用排水口である。
【００１７】
この実施形態において、防水パン５の床面１３は、浴槽４側の床面部分１３ａ及び出入り口３（ドア１０）側の床面部分１３ｂが他の床面部分１３ｃよりも低くなるように傾斜状に形成されるものである。
【００１８】
すなわち図３に示すように、防水パン５の床面１３は浴槽４と出入り口３との間に形成されるが、床面１３における幅方向の略中央部分の他の床面部分１３ｃが最も高く、他の床面部分は１３ｃから離れるのにしたがって高さが徐々に低くなるように傾斜している。このように傾斜することにより、浴槽４側の床面部分１３ａ及び出入り口３側の床面部分１３ｂに向かって水が良好に流れるようになっている。浴槽４側の排水口１４ａはこの浴槽４側の床面部分１３ａに形成され、出入り口３側の排水口１４ｂは出入り口３側の床面部分１３ｂに形成されることにより流れてきた水を排出する。
【００１９】
図３において、符号３１は排水管である。この実施形態において、排水管３１は建造物のコンクリートスラブ床３２の下方に配管されており、排水口１４ａ、１４ｂがこの排水管３１に連結されて排水が行われる。このように排水管３１をコンクリートスラブ床３２の下方に配管した構造では、従来のように排水管をコンクリートスラブ床３２の上に配置する必要がなく、コンクリートスラブ床３２とユニットバス１の床面１３との間に排水管配置のための空間を形成する必要がなくなる。このため、ユニットバス１における防水パン５の床面１３をコンクリートスラブ床３２に極力接近させることができる。
【００２０】
これにより、防水パン５の床面１３における出入り口３側の床面部分１３ｂの段差を小さくでき、バスルーム６の出入り口３の高さを小さくすることができる。例えば、従来では、出入り口の段差がコンクリートスラブ床３２から約１７０ｍｍ必要であったのに対し、この実施形態では、コンクリートスラブ床から２６．５ｍｍ程度の低い段差とすることができる。そして、バスルーム６外の床を磁器タイル等によって内装仕上げすることにより（図４参照）、段差を小さくし、フラットに近づけることができる。これによりバスルーム６への出入りに対しバリアフリー機能を備えたものとすることができ、高齢者や身障者であってもバスルーム６への出入りの際につまずくことがなく、安全にバスルーム６に出入りすることが可能となる。
【００２１】
この実施形態では、図３及び図４に示すように、防水パン５の床面１３における出入り口３（ドア１０）側の端部に堰き止め部３３が形成されている。堰き止め部３３は床面１３と一体に形成されることにより床面１３（すなわち出入り口３側の床面部分１３ｂ）の一部を構成するものである。
【００２２】
堰き止め部３３は、出入り口３側の床面部分１３ｂの端部よりも、さらに出入り口３側に位置するように形成される。堰き止め部３３は防水パン５の水を堰き止め可能な高さに形成されるものであり、このため出入り口３側の床面部分１３ｂと略同等の高さ（段差）となっている。このような堰き止め部３３を形成することにより、水が出入り口３（ドア１０）からバスルーム６の外側に洩れ出ることを防止することができる。
【００２３】
この実施形態において、堰き止め部３３に対応した出入り口３（ドア１０）部分には、木下地材３４が設けられる。木下地材３４は堰き止め部３３と略同等の高さを有した下地材が使用され、木下地材３４と堰き止め部３３とにかけて踏み板３５が掛け渡されることにより、これらの上部が覆われている。踏み板３５は例えば、アルミニウム等の耐腐食性金属薄板が使用される。踏み板３５は堰き止め部３３及び木下地材３４を覆った状態で木下地材３４に向けてビス３８をねじ込むことにより固定される。なお、踏み板３５としては、図４に示すように、両端部分に対して中央部分が幾分隆起した形状のものを用いることがバスルーム６への出入りの点から好ましい。
【００２４】
以上に加えて、コンクリートスラブ床３２における出入り口３（ドア１０）の外側には、内装仕上げ材３６が敷設される。内装仕上げ材３６は磁器タイルかタイルカーペット等が使用される。内装仕上げ材３６は接着剤３７を介して出入り口３の外側部分のコンクリートスラブ床３２上に固定される。タイルカーペットを使用する場合、接着剤３７はタイルカーペットに予め塗布された製品を使用することにより簡単に脱着できる。この内装仕上げ材３６の高さ（厚さ）の分、堰き止め部３３や木下地材３４の高さ（段差）が小さくなる。このためバスルーム６の出入り口３の段差を１２．７ｍｍ（１／２インチ）以下としたり、段差のないフラットとすることが容易となる。これにより、さらに良好なバリアフリー機能を備えたものとすることができ、さらに安全にバスルーム６への出入りが可能となる。なお、内装仕上げ材３６が磁器タイルの場合、内装仕上げ材３６と踏み板３５との間には、シール材３９を介在させることが好ましい。
【００２５】
この実施形態では、図２及び図５に示すように、浴槽４における防水パン５側の槽壁１２に跨ぎ用凹部２２が形成されている。跨ぎ用凹部２２は防水パン５側の槽壁１２の上端部２１を湾曲状に低くすることにより形成されるものであり、浴槽４への出入りの際に足を大きく上げることなく防水パン５側の槽壁１２を跨ぐことができる。このため浴槽４への出入りが容易且つ安全となる。又、跨ぎ用凹部２２を湾曲状とすることにより、浴槽４に対するスムーズな出入りが可能となる。
【符号の説明】
【００２６】
１  ユニットバス
２  本体部
３  出入り口
４  浴槽
５  防水パン
１０  ドア
１３  床面
１３ｂ  出入り口側の床面部分
１４  排水口
１４ｂ  出入り口側の排水口
２１  上端部
２２  跨ぎ用凹部
３１  排水管
３２  コンクリートスラブ床
３３  堰き止め部
３４  木下地材
３５  踏み板
３６  内装仕上げ材
【図１】
2016171148.tif 000003
【図２】
2016171148.tif 000004
【図３】
2016171148.tif 000005
【図４】
2016171148.tif 000006
【図５】
2016171148.tif 000007
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
浴槽と防水パンとが横並び状となって一体に形成され、使用者がバスルームの出入り口から出入りが可能なようにバスルーム内に組み込まれるユニットバスであって、
前記防水パンにおける前記出入り口側の床面部分と前記浴槽側の床面部分とが低く、これらの間の床面部分が高くなるように傾斜状に形成され、前記出入り口側の床面部分及び前記浴槽側の床面部分に排水口がそれぞれ形成され、前記出入り口側の床面部分の排水口及び前記浴槽側の床面部分の排水口がバスルームのコンクリートスラブ床の下方に配管された排水管に連結されていることを特徴とするユニットバス。
【請求項２】
請求項１記載のユニットバスであって、
前記防水パンの床面における前記出入り口側の端部に、防水パンの水を堰き止め可能な高さの堰き止め部が形成される一方、前記出入り口の外側のコンクリートスラブ床上に内装仕上げ床が敷設されることにより前記堰き止め部の高さの段差が小さくなっていることを特徴とするユニットバス。
【請求項３】
請求項１又は２記載のユニットバスであって、
前記浴槽における防水パン側に位置する槽壁の上端部に、湾曲状に低くなって凹む跨ぎ用凹部が形成されていることを特徴とするユニットバス。
【国際調査報告】
2016171148.tif 000008
2016171148.tif 000009
2016171148.tif 000010
2016171148.tif 000011